(57)【要約】【課題】巻線の引出し線による巻線間の結合の悪化を抑制して効率を向上したトランスを提供することを目的としている。【解決手段】巻枠２１の中央に貫通孔２２を有するとともに両端に鍔２３を設けたボビン２４と、巻枠２１の外周に絶縁被膜電線を巻回した第一巻線２５と、第一巻線２５の外周に絶縁被膜電線を巻回した第二巻線２６と、第一巻線２５および第二巻線２６の引出し線２７と、ボビン２４の下端側の鍔２３に植設するとともに引出し線２７を接続した端子２８と、ボビン２４の貫通孔２２に組み込むとともに閉磁路を形成した磁心２９とを備え、第一巻線２５と第二巻線２６の間に引出し線２７を非介装にした構成。【選択図】  図２
2004311759.tif 000002
【特許請求の範囲】
【請求項１】
巻枠の中央に貫通孔を有するとともに上下端に鍔を設けたボビンと、前記巻枠の外周に絶縁被膜電線を巻回した第一巻線と、前記第一巻線の外周に絶縁被膜電線を巻回した第二巻線と、前記第一巻線および前記第二巻線の引出し線と、前記ボビンの下端側の鍔に植設するとともに前記引出し線を接続した端子と、前記ボビンの貫通孔に組み込むとともに閉磁路を形成した磁芯とを備え、前記第一巻線と前記第二巻線の間に前記引出し線を非介装にしたトランス。
【請求項２】
第一巻線は、巻き始め側の引出し線を巻枠に沿わして上端の鍔側まで引き廻すとともに上端の鍔側から下端の鍔側に向けて巻回し、第二巻線は、下端の鍔側から上端の鍔側に向けて巻回した請求項１に記載のトランス。
【請求項３】
第一巻線は、巻枠の巻幅全体に巻回した請求項２に記載のトランス。
【請求項４】
第一巻線の巻き始め側の引出し線の外周側に絶縁テープを設けた請求項２に記載のトランス。
【請求項５】
上端側の鍔の外周から巻枠まで達するスリットを少なくとも二本間隔を開けて設け、第一巻線は、巻き始め側の引出し線を前記スリットの間の上端側の鍔に引き掛けて巻回した請求項２に記載のトランス。
【請求項６】
第一巻線は、引出し線をボビンの下端側の鍔の外縁に沿わして端子に引き廻した請求項２に記載のトランス。
【請求項７】
ボビンの下端側の鍔の下面に、前記鍔の側面の下端から端子に向かって隆起するテーパー部を設け、第一巻線の引出し線を前記テーパー部に沿わして引き廻した請求項６に記載のトランス。
【請求項８】
ボビンの下端側の鍔の巻枠側に前記鍔の側面から巻枠まで凹部を形成し、第一巻線の引出し線を前記凹部に配置した請求項６に記載のトランス。
【請求項９】
第一巻線は、絶縁被膜が三層構造の三層絶縁電線とした請求項６に記載のトランス。
【発明の詳細な説明】
【０００１】
【発明の属する技術分野】
本発明は各種電子機器等に用いるトランスに関するものである。
【０００２】
【従来の技術】
以下、従来のトランスについて図面を参照しながら説明する。
【０００３】
図３は従来のトランスの斜視図、図４は図３におけるＡ−Ａ線の断面図である。
【０００４】
図３、図４において、従来のトランスは、巻枠１の中央に貫通孔２を有するとともに上下端に鍔３を設けたボビン４と、巻枠１の外周に絶縁被膜電線を巻回した第一巻線５と、第一巻線５の外周に絶縁被膜電線を巻回した第二巻線６と、第一巻線５と第二巻線６との間および第二巻線６の外周に巻回したテープ７と、第一巻線５および第二巻線６の引出し線８と、ボビン４の下端側の鍔３に植設するとともに引出し線８を接続した端子９と、ボビン４の貫通孔２に組み込むとともに閉磁路を形成した磁心１０とを備えていた。
【０００５】
また、第一巻線５は、端子９に絶縁被膜電線を配線した引出し線８を巻枠１側に引き込み、ボビン４の下端の鍔３側から上端の鍔３側に向かって巻回し、巻終わり側の引出し線１１を上端の鍔３側から端子９まで引き廻して端子９に接続していた。
【０００６】
そして、第一巻線５の外側に、第一巻線５と同様に第二巻線６を巻回しており、第一巻線５と第二巻線６との間に、第一巻線５の巻終わり側の引出し線１１を介在させてトランスを構成していた。
【０００７】
なお、この出願の発明に関連する先行技術文献情報としては、例えば、特許文献１が知られている。
【０００８】
【特許文献１】
特開２０００−２５２１３６号公報
【０００９】
【発明が解決しようとする課題】
しかしながら、従来の構成では、第一巻線５と第二巻線６との間に第一巻線５の巻終わり側の引出し線１１が介在しているので、第一巻線５の巻終わり側の引出し線１１に第二巻線６が重なって、第一巻線５と第二巻線６との間に隙間が生じてリーケージインダクタンスが大きくなり、第一巻線５と第二巻線６との間の結合が悪くなって効率が悪化し、特に、第一巻線５の絶縁被膜電線の素線径が太い場合にはより効率が悪いといった問題点を有していた。
【００１０】
本発明は上記従来の問題点を解決するもので、巻線の引出し線による巻線間の結合の悪化を抑制した効率を向上したトランスを提供することを目的としている。
【００１１】
【課題を解決するための手段】
上記目的を達成するために本発明は、以下の構成を有する。
【００１２】
本発明の請求項１に記載の発明は、巻枠の中央に貫通孔を有するとともに上下端に鍔を設けたボビンと、巻枠の外周に絶縁被膜電線を巻回した第一巻線と、第一巻線の外周に絶縁被膜電線を巻回した第二巻線と、第一巻線および第二巻線の引出し線と、ボビンの下端側の鍔に植設するとともに引出し線を接続した端子と、ボビンの貫通孔に組み込むとともに閉磁路を形成した磁芯とを備え、第一巻線と第二巻線の間に前記引出し線を非介装にした構成である。
【００１３】
上記構成により、第一巻線と第二巻線の間に引出し線を非介装にしたので、第一巻線と第二巻線との間に引出し線が介在しておらず、第一巻線の巻き始めの引出し線に第二巻線が重なって巻回され第一巻線と第二巻線との間に隙間を生じることがなくなり、第一巻線と第二巻線との対向面積を大きくして、第一巻線と第二巻線との結合が低下して効率が悪くなることを抑制できる。
【００１４】
本発明の請求項２に記載の発明は、特に、第一巻線は、巻き始め側の引出し線を巻枠に沿わして上端の鍔側まで引き廻すとともに上端の鍔側から下端の鍔側に向けて巻回し、第二巻線は、下端の鍔側から上端の鍔側に向けて巻回した構成である。
【００１５】
上記構成により、第一巻線は、巻き始め側の引出し線を巻枠に沿わして上端の鍔側まで引き廻すとともに上端の鍔側から下端の鍔側に向けて巻回し、第二巻線は、下端の鍔側から上端の鍔側に向けて巻回したので、第一巻線の巻き始め側の引出し線は第一巻線の内周側に配置され、第一巻線の巻終わり側の引出し線は第一巻線の外側に配置されることがなく、第一巻線と第二巻線との間に引出し線が介在することをなくすことができる。
【００１６】
本発明の請求項３に記載の発明は、特に、第一巻線は、巻枠の巻幅全体に巻回した構成である。
【００１７】
上記構成により、第一巻線は、巻枠の巻幅全体に巻回したので、第一巻線と第二巻線との対向面積をより大きくして、第一巻線と第二巻線との結合が低下して効率が悪くなることをより抑制できる。
【００１８】
本発明の請求項４に記載の発明は、特に、第一巻線の引出し線の外周側に絶縁テープを設けた構成である。
【００１９】
上記構成により、第一巻線の引出し線の外周側に絶縁テープを設けたので、第一巻線の巻き始め側の引出し線と第一巻線との間を的確に絶縁することができ、また、絶縁テープを貼りつけることにより、第一巻線の巻き始め側に引出し線を上端側の鍔まで的確に位置決めすることができる。
【００２０】
本発明の請求項５に記載の発明は、特に、上端側の鍔の外周から巻枠まで達するスリットを少なくとも二本間隔を開けて設け、第一巻線は巻き始め側の引出し線を前記スリットの間の上端側の鍔に引き掛けて巻回した構成である。
【００２１】
上記構成により、上端側の鍔の外周から巻枠まで達するスリットを少なくとも二本間隔を開けて設け、第一巻線は巻き始め側の引出し線をスリットの間の上端側の鍔に引き掛けて巻回したので、第一巻線は巻き始め側の引出し線をスリットの間の上端側の鍔に引き掛ければ、第一巻線の巻き始め側の引出し線を上端側の鍔で容易に引き廻すことができるとともに容易に巻回することができる。
【００２２】
本発明の請求項６に記載の発明は、特に、第一巻線は、引出し線をボビンの下端側の鍔の外縁に沿わして端子に引き廻した構成である。
【００２３】
上記構成により、第一巻線は、引出し線をボビンの下端側の鍔の外縁に沿わして端子に引き廻したので、第一巻線が下端側の引出し線との接触した長さが長くなり、引出し線を端子に半田接続したときに引出し線に伝わった半田の熱を的確に下端側の鍔に放熱して、絶縁被膜が半田の熱によって劣化することを抑制することができる。
【００２４】
このとき、特に、第一巻線が巻き始め側の引出し線を巻枠および下端側の鍔に押さえつけることになり、第一巻線の巻き始め側の引出し線に伝わる半田の熱をより的確に放熱させて、絶縁被膜が熱劣化することを抑制することができ、第一巻線の巻き始め側の引出し線と第一巻線の終わり部分が近接しても、レアーショートが発生することを抑制することができる。
【００２５】
本発明の請求項７に記載の発明は、特に、ボビンの下端側の鍔の下面に、鍔の側面の下端から端子に向かって隆起するテーパー部を設け、第一巻線の引出し線をテーパー部に沿わして引き廻した構成である。
【００２６】
上記構成により、特に、ボビンの下端側の鍔の下面に、鍔の側面の下端から端子に向かって隆起するテーパー部を設け、第一巻線の引出し線をテーパー部に沿わして引き廻したので、第一巻線の引出し線が下端側の鍔に接触する面積をより大きくして、第一巻線の引出し線に伝わる半田の熱をより下端側の鍔に放熱して、第一巻線の引出し線の絶縁皮膜が熱劣化することを抑制することができる。
【００２７】
本発明の請求項８に記載の発明は、特に、ボビンの下端側の鍔の巻枠側に鍔の側面から巻枠まで凹部を形成し、第一巻線の引出し線を凹部に配置した構成である。
【００２８】
上記構成により、ボビンの下端側の鍔の巻枠側に鍔の側面から巻枠まで凹部を形成し、第一巻線の引出し線を凹部に配置したので、第一巻線の引出し線と第二巻線とが接触することを抑制して、第一巻線の引出し線と第二巻線との絶縁破壊が生じることを抑制することができる。
【００２９】
本発明の請求項９に記載の発明は、特に、第一巻線は、絶縁被膜が三層構造の三層絶縁電線とした構成である。
【００３０】
上記構成により、第一巻線は、絶縁被膜が三層構造の三層絶縁電線としたので、高電圧の入力あるいは出力に対応することができる。
【００３１】
【発明の実施の形態】
以下、本発明の一実施の形態を用いて、本発明に記載の全請求項について、図面を参照しながら説明する。
【００３２】
図１は本発明の一実施の形態におけるトランスの斜視図、図２は図１におけるＢ−Ｂ線の断面図である。
【００３３】
図１、図２において、本発明の一実施の形態におけるトランスは、巻枠２１の中央に貫通孔２２を有するとともに上下端に鍔２３を設けたボビン２４と、巻枠２１の外周に絶縁被膜電線を巻回した第一巻線２５と、第一巻線２５の外周に絶縁被膜電線を巻回した第二巻線２６と、第一巻線２５と第二巻線２６との間および第二巻線２６の外周に巻回したテープ３６と、第一巻線２５および第二巻線２６の引出し線２７と、ボビン２４の下端側の鍔２３に植設するとともに引出し線２７を接続した端子２８と、ボビン２４の貫通孔２２に組み込むとともに閉磁路を形成した磁芯２９とを備えている。
【００３４】
このとき、第一巻線２５は、巻き始め側の引出し線３０を巻枠２１に沿わして上端の鍔２３側まで引き廻すとともに上端の鍔２３側から下端の鍔２３側に向けて巻枠２１の巻幅３１全体に一層で巻回しており、第二巻線２６は、下端の鍔２３側から上端の鍔２３側に向けて巻回して、第一巻線２５と第二巻線２６の間に引出し線２７を非介装にしている。
【００３５】
また、第一巻線２５の巻き始め側の引出し線３０の外周側に絶縁テープ３２を設けている。
【００３６】
そして、上端側の鍔２３には、鍔２３の外周から巻枠２１まで達する少なくとも二本のスリット３３を間隔を開けて設けており、第一巻線２５は巻き始め側の引出し線３０を一方のスリット３３を通して外方に引き出すとともに他方のスリット３３を通して巻枠２１側に引き込み、二本のスリット３３の間の上端側の鍔２３に巻き始め側の引出し線３０を引き掛け、第一巻線２５を上端の鍔２３側から巻回している。
【００３７】
さらに、第一巻線２５は、引出し線２７をボビンの下端側の鍔２３の外縁に沿わして端子２８に接続しており、このとき、ボビン２４の下端側の鍔２３の下面に、鍔２３の側面の下端から端子２８に向かって隆起するテーパー部３４を設け、第一巻線２５の引出し線２７をテーパー部３４に沿わして引き廻している。
【００３８】
また、ボビン２４の下端側の鍔２３の巻枠２１側に鍔２３の側面から巻枠２１まで凹部３５を形成し、第一巻線２５の引出し線２７を凹部３５に配置してトランスを構成している。
【００３９】
以上のように構成したトランスについて、以下その動作を説明する。第一巻線２５と第二巻線２６の間に引出し線２７を非介装にしたので、第一巻線２５と第二巻線２６との間に引出し線２７が介在しておらず、第一巻線２５の巻き始めの引出し線３０に第二巻線２６が重なって巻回され第一巻線２５と第二巻線２６との間に隙間を生じることがなくなり、第一巻線２５と第二巻線２６との対向面積を大きくして、第一巻線２５と第二巻線２６との結合が低下して効率が悪くなることを抑制できる。
【００４０】
また、第一巻線２５は、巻き始め側の引出し線３０を巻枠２１に沿わして上端の鍔２３側まで引き廻すとともに上端の鍔２３側から下端の鍔２３側に向けて巻回し、第二巻線２６は、下端の鍔２３側から上端の鍔２３側に向けて巻回したので、第一巻線２５の巻き始め側の引出し線３０は第一巻線２５の内周側に配置され、第一巻線２５の巻終わり側の引出し線３０は第一巻線２５の外側に配置されることなく端子へ接続され、第一巻線２５と第二巻線２６との間に引出し線２７が介在することをなくすことができる。
【００４１】
そして、第一巻線２５は、巻枠２１の巻幅３１全体に巻回したので、第一巻線２５と第二巻線２６との対向面積をより大きくして、第一巻線２５と第二の巻線２６との結合が低下して効率が悪くなることをより抑制できる。
【００４２】
さらに、第一巻線２５の巻き始め側の引出し線３０の外周に絶縁テープ３２を設けたので、第一巻線２５の巻き始め側の引出し線３０と第一巻線２５との間を的確に絶縁することができ、また、絶縁テープ３２を貼りつけることにより、第一巻線２５の巻き始め側の引出し線３０を上端の鍔２３側まで的確に位置決めすることができる。
【００４３】
また、上端側の鍔２３の外周から巻枠２１まで達するスリット３３を少なくとも二本間隔を開けて設け、第一巻線２５は巻き始め側の引出し線３０をスリット３３の間の上端側の鍔２３に引き掛けて巻回したので、第一巻線２５の巻き始め側の引出し線３０をスリット３３の間の上端側の鍔２３に引き掛ければ、第一巻線２５の巻き始め側の引出し線３０を上端側の鍔３３で容易に位置決めすることができるとともに容易に巻回することができる。
【００４４】
そして、第一巻線２５は、引出し線２７をボビンの下端側の鍔２３の外縁に沿わして端子２８に接続したので、第一巻線２５の引出し線と下端側の鍔２３との接触した長さが長くなり、引出し線２５を端子２８に半田接続したときに引出し線２７に伝わった半田の熱を的確に下端側の鍔２３に放熱して、引出し線２７の絶縁破壊が半田の熱によって劣化することを抑制することができる。
【００４５】
このとき、特に、第一巻線２５の巻き始め側の引出し線３０を巻枠２１側および下端側の鍔２３に押さえつけることになり、第一巻線２５の巻き始め側の引出し線３０に伝わる半田の熱をより的確に放熱させて、絶縁被膜が熱劣化することを抑制することができ、第一巻線２５の巻き始め側の引出し線３０と第一巻線２５の巻終わり部分が近接しても、レアーショートが発生することを抑制することができる。
【００４６】
さらに、ボビン２４の下端側の鍔２３の下面に、鍔２３の側面の下端から端子２８に向かって隆起するテーパー部３２を設け、第一巻線２５の引出し線２７をテーパー部３４に沿わして引き廻したので、第一巻線２５の引出し線２７が下端側の鍔２３に接触する面積をより大きくして、第一巻線２５の引出し線２７に伝わる半田の熱をより下端側の鍔２３に放熱して、第一巻線２５の引出し線３０の絶縁被膜が熱劣化することをより抑制することができる。
【００４７】
また、ボビンの下端側の鍔２３上面に鍔２３の側面から巻枠２１まで凹部３５を形成し、第一巻線２５の引出し線２７を凹部３５に配置したので、第一巻線２５の引出し線３０と第二巻線２６とが接触することを抑制して、第一巻線２５の引出し線２７と第二巻線２６との絶縁破壊が生じることを抑制することができる。
【００４８】
このように本実施の形態によれば、第一巻線２５と第二巻線２６の間に引出し線２７を非介装にしたので、第一巻線２５と第二巻線２６との間に隙間を生じることがなくなり、第一巻線２５と第二巻線２６との対向面積を大きくして、第一巻線２５と第二巻線２６との結合が低下して効率が悪くなることを抑制したトランスを構成することができる。
【００４９】
なお、第一巻線２５を、絶縁被膜が三層構造の三層絶縁電極とすれば、高電圧の入力あるいは出力に対応したトランスを構成することができる。
【００５０】
【発明の効果】
以上のように本発明によれば、、第一巻線と第二巻線の間に引出し線を非介装にしたことにより、第一巻線と第二巻線との間に隙間を生じることがなくなり、第一巻線と第二巻線との対向面積を大きくすることができ、巻線の引出し線による巻線間の結合の悪化を抑制して効率を向上したトランスを提供することができる。
【図面の簡単な説明】
【図１】本発明の一実施の形態におけるトランスの斜視図
【図２】図１におけるＢ−Ｂ線の断面図
【図３】従来のトランスの斜視図
【図４】図３におけるＡ−Ａ線の断面図
【符号の説明】
２１  巻枠
２２  貫通孔
２３  鍔
２４  ボビン
２５  第一巻線
２６  第二巻線
２７  引出し線
２８  端子
２９  磁心
３０  巻き始め側の引出し線
３１  巻幅
３２  絶縁テープ
３３  スリット
３４  テーパー部
３５  凹部
【図１】
2004311759.tif 000003
【図２】
2004311759.tif 000004
【図３】
2004311759.tif 000005
【図４】
2004311759.tif 000006